【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
モータにより糸巻ドラムを回転させて糸を巻き取る電動糸巻ドラムであって、前記モータの回転を遊星歯車機構により減速して前記糸巻ドラムに伝動し、前記遊星歯車機構のリングギアと前記糸巻ドラムを凹部と凸部によって係合したことを特徴とする電動糸巻ドラム。
【請求項２】
前記遊星歯車機構のプラネット歯車軸をモータハウジングと一体に形成したことを特徴とする請求項１記載の電動糸巻ドラム。
【請求項３】
前記リングギアと前記糸巻ドラムとを墨壷ハウジングにより回転自在に支持したことを特徴とする請求項１または２記載の電動糸巻ドラム。
【請求項４】
前記モータの電源を制御するスイッチを可撓性部材により覆ったことを特徴とする請求項１〜３のいずれか１項に記載の電動糸巻ドラム。
【手続補正２】
【補正対象書類名】明細書
【補正対象項目名】全文
【補正方法】変更
【補正の内容】
【発明の詳細な説明】
【発明の名称】電動糸巻ドラム
【技術分野】
【０００１】
本発明は、モータを備えた電動糸巻ドラムに関する。
【背景技術】
【０００２】
この種のハンドタイプの墨壷は、糸巻ドラムを収納するドラム収納部に握持可能な連設部を設け、この連設部内に糸巻ドラムから引き出した墨糸を案内外出する引出案内部を設けると共に、墨汁やチョーク粉などの墨材を収納する墨付部を設けて、引出案内部に設けた糸通し部に墨糸を通して糸巻ドラムから引き出した墨糸を案内外出させながら、墨付部の墨材に案内接触させることにより墨糸に墨材を付着させるように構成されている。
ここで、糸巻ドラムから引き出された墨糸は、木材や石材などに墨線を引いた後、糸巻ドラムに巻き戻す必要がある。巻き戻し方法には、手動で糸巻ドラムを回転させるものや、弾性手段であるゼンマイを設けて糸巻ドラムを回転させるものの他、電動モータにより糸巻ドラムを回転させるものがある。そして、電動モータを備えたものではモータの回転を減速するために歯車列が用いられるが、減速歯車列として平歯車、ウオーム歯車、ベベルギアを用いたものがある。また、減速歯車列として遊星歯車を用いたものもある（例えば、特許文献１〜４参照）。
【特許文献１】実開昭５２−２６９８号公報
【特許文献２】実開昭５３−１２１６００号公報
【特許文献３】実開昭５８−１１７３８４号公報
【特許文献４】特開２００６−３２６８２４号公報
【発明の開示】
【発明が解決しようとする課題】
【０００３】
しかし、減速歯車列としてウオームギアを用いたものではクラッチが必要になる。また、平歯車やベベルギアを用いたものでは、どうしても減速歯車部が大型化して嵩張るという問題がある。一方、減速歯車列として遊星歯車を用いたものは減速歯車部をコンパクトにできる利点がある反面、部品数が増加するとともに組立作業が煩雑化してコスト高になるという問題があった。本発明は、このような従来技術の問題点に鑑みてなされたものであり、構成部品数が少なく、コンパクトで、組立容易にして製造コストを低減できる電動糸巻ドラムを提供することを第１の課題とする。
【課題を解決するための手段】
【０００４】
請求項１の発明は、モータにより糸巻ドラムを回転させて糸を巻き取る電動糸巻ドラムであって、前記モータの回転を遊星歯車機構により減速して前記糸巻ドラムに伝動し、前記遊星歯車機構のリングギアと前記ドラムを凹部と凸部によって係合したことを特徴とするものである。
【０００５】
請求項２の発明は、請求項１記載の電動糸巻ドラムにおいて、前記遊星歯車機構のプラネット歯車軸をモータハウジングと一体に形成したことを特徴とするものである。
【０００６】
請求項３の発明は、請求項１または２記載の電動糸巻ドラムにおいて、前記リングギアと前記糸巻ドラムとをハウジングにより回転自在に支持したことを特徴とするものである。
【０００７】
請求項４の発明は、請求項１〜３のいずれか１項に記載の電動糸巻ドラムにおいて、前記モータの電源を制御するスイッチを可撓性部材により覆ったことを特徴とするものである。
【発明の効果】
【０００８】
請求項１の発明によれば、リングギアと糸巻ドラムを凹部と凸部により係合することができるので、リングギアと糸巻ドラムとの係合機構が簡素となり、組立作業も極めて短時間で行うことができる。
【０００９】
請求項２の発明によれば、プラネット歯車軸をモータハウジングと一体に形成することとしたので、プラネット歯車軸を別途製作する必要がなく、部品点数を削減できるとともに組立時間を短縮することができる。
【００１０】
請求項３の発明によれば、リングギアと糸巻ドラムとを軸受を設けて回転自在に支持する必要がなく、軸受を不要とすることができるので製作コストを低減できる。
【００１１】
請求項４の発明によれば、信頼性の高い電動糸巻ドラムを実現することができる。
【発明を実施するための最良の形態】
【００１２】
本発明における好適な実施形態について、添付図面を参照しながら説明する。図１は、本発明の実施例を示す電動墨壷の中央縦断面図であり、図２は主要構成部品を示す分解斜視図である。
【００１３】
墨糸１を巻装する糸巻ドラム２は、その回転軸を縦方向とする姿勢で墨壷ハウジング３内に収納されている。墨壷ハウジング３は水平２分割構造とされ、下部墨壷ハウジング４は、糸巻ドラム２を収納するドラム収納部５と墨付部６とが一体として成型されている。墨付部６には墨汁を含浸させた下部墨汁含浸材７が装填される。上部墨壷ハウジング８は、糸巻ドラム２部に配設されるドラム上部カバー９と、墨付部６に配設される墨付部カバー11とに分かれている。これら墨壷ハウジング３を構成するいずれの部材も合成樹脂材で成型されている。
【００１４】
墨付部カバー11の一側面は、ヒンジ構成により下部墨壷ハウジング４に取付けられている。すなわち、墨付部カバー11は下部墨壷ハウジング４に対して開閉自在の構造とされている。墨付部カバー11には、下部墨壷ハウジング４の墨付部に対応する位置に段付開口12が設けられており、この段付開口12の内側には下部墨汁含浸材と同様の上部墨汁含浸材13が装填される。上部墨汁含浸材13は具体的にはスポンジからなっており、若干圧縮した状態で段付開口12に挿入することによって容易に装填することができる。段付開口12の上半部には、上部墨汁含浸材13を押圧する押圧部材14が装着される。押圧部材14は上下方向に所定距離だけ移動可能とされ、上側に脱落しないようストッパー15が備えられている。したがって、押圧部材14を指で押下すると、上部墨汁含浸材13が押圧されて墨付部において墨汁が滲み出ることになる。また、押圧部材14から指を離すと、スポンジからなる上部墨汁含浸材13の弾性力によって押圧部材14は上方に押上げられて元の位置に戻ることになる。
【００１５】
糸巻ドラム２は概略有底円筒形状をしており、その円筒部側面には墨糸１が巻かれる位置を規制するためのフランジ16，17が２箇所に設けられている。糸巻ドラム２は、下部墨壷ハウジング４に対して逆さにして配設される。すなわち、底部が上部になるようにして配設される。墨糸１は２箇所のフランジ16，17間の円筒部18に巻装され、一端にカルコを結んだ墨糸１は墨付部６を経由して引出案内部19から引き出されるようにされている。下部フランジ16の下面と上部フランジ17の上面とは、下部墨壷ハウジング４とドラム上部カバー９とによって挟まれるように構成されるが、下部フランジ16の下面と上部フランジ17の上面との間隔は、下部墨壷ハウジング４とドラム上部カバー９との内面間隔より若干小さくされている。したがって、糸巻ドラム２が下部墨壷ハウジング４とドラム上部カバー９とによって拘束されることはなく、糸巻ドラム２は回転自在とされている。糸巻ドラム２の下部フランジ16より下方の円筒部21は、下部墨壷ハウジング４の内部に形成された円形孔22によって回転自在に支持され、糸巻ドラム２の上部フランジ17より上方の円筒部23は、ドラム上部カバー９に形成された円形孔24によって回転自在に支持される。下部墨壷ハウジング４、ドラム上部カバー９及び糸巻ドラム２のいずれも合成樹脂材料から成型されているので、相対運動に対する摺動抵抗は小さく、軸受を設けることなく糸巻ドラム２を墨壷ハウジング３内に回転自在に支持することができる。
【００１６】
図３は、下部墨壷ハウジング４に対して墨付部カバー11を開けるとともに、ドラム上部カバー９を取り外した後、糸巻ドラム２を反転した状態を示す分解図である。また、図４は、図３の状態からさらに分解を進めたもので、下部墨壷ハウジング４からモータ25とリングギア26を取り出した状態を示す部分分解図である。図３に示すように、糸巻ドラム２の円筒開口端の４箇所には、凹部となる切欠27が設けられている。
【００１７】
モータ25は軸端を下方に向けた姿勢で糸巻ドラム２の円筒内部に配設される。モータハウジング28の外径寸法は、糸巻ドラム２の円筒部内径寸法より余裕を持った小径とされている。したがって、糸巻ドラム２が回転しても糸巻ドラム２の内面とモータハウジング28の外面が接触することはない。モータハウジング28の下端面、すなわちモータ軸29側の端面には、モータ25を下部墨壷ハウジング４に固定するための雌ねじ孔31が１２０度間隔で３箇所に設けられている。また、モータハウジング28の下端面には、雌ねじ孔31に対して位相をずらした位置にプラネット歯車32を回転自在に支持するプラネット歯車軸33が３箇所に設けられている。これらのプラネット歯車軸33とモータハウジング28とは合成樹脂により一体成型されている。
【００１８】
下部墨壷ハウジング４の内部に形成された円形孔22の底部には、糸巻ドラム２及びモータ軸29と同心となるようにリングギア26が配設され、該リングギア26は下部墨壷ハウジング４内の円筒孔22によって回転自在に支持される。リングギア26も合成樹脂から成型されたものであり、リングギア26は軸受を用いることなく下部墨壷ハウジング４の円筒孔22に回転自在に支持される。リングギア26の上端面の４箇所には凸部となる突起34が設けられている。これらの突起34は、糸巻ドラム２の円筒開口端に設けられた４箇所の切欠27に対応する半径位置に設けられており、糸巻ドラム２とリングギア26を墨壷ハウジング３内に収納した状態では、糸巻ドラム２の切欠27とリングギア26の突起34とが係合するようになっている。したがって、極めて簡単な構造でリングギア26の回転トルクを糸巻ドラム２に伝動することができる。
【００１９】
なお、モータ軸29にはサンギア35が固着され、３箇所のプラネット軸33にはプラネット歯車32が回転自在に支持される。いずれの歯車26，32，35も合成樹脂から成型されたものであり、極めて低廉なコストで製作することができ、組立作業も短時間で行うことができる。さらに、各摺動部材は無潤滑で使用することができるので、潤滑剤が漏れる心配のない電動墨壷を実現することができる。
【００２０】
下部墨壷ハウジング４には、モータハウジング28に設けられた雌ねじ31の位置に対応する部位にビス孔36が配設されている。すなわち、ビス孔36は３箇所に設けられており、該ビス孔36からビス37を用いてモータ25を下部墨壷ハウジング４に固定することができる。
【００２１】
下部墨壷ハウジング４の外側底面には電池収納部38が設けられており、電池39の両端子はスイッチ41を介してモータ25の電源端子と電気的に接続されている。また、電池収納部38は蓋部材42により密閉されている。したがって、雨水や墨汁が電池収納部38に浸入するのを防止できる。
【００２２】
下部墨壷ハウジング４の内面であって、ドラム収納部５と墨付部６との間の連接部にはモータへの通電を制御するためのスイッチ41が配設されている。墨付部６の周囲にはパッキン43が設けられており、正常であれば墨汁が墨汁含浸材７，13から漏出することはないものであるが、不注意な取扱いなどによりパッキン43が損傷を受けた場合には墨汁が墨汁含浸材７，13から滲み出ることもある。そこで、本発明の電動墨壷においては、前記スイッチ41の表面を可撓性部材であるゴム膜44により覆っている。したがって、パッキン43が損傷を受けて墨汁が墨汁含浸材７，13から漏出しても、墨汁がスイッチ41に浸入することがなく、制御回路部品の絶縁に悪影響を与えることがない。
【００２３】
墨付部カバー11の上面には、墨汁含浸材を押圧する押圧部材14とは異なる位置にモータ25への通電を制御するためのスイッチ41を押圧するスイッチボタン45が装着されている。スイッチ41はゴム膜44により覆われているが、ゴム膜44は容易に変形可能であることから、スイッチボタン45を押下することによりスイッチ41を動作させてモータ25への通電を制御することができる。
【００２４】
以上、本発明を実施例に基づいて説明したが、本発明はこれらの実施例に限定されるものではない。例えば、上記実施例では糸巻ドラム２の下端に設ける切欠27およびリングギア26の上端に設ける突起34を４箇所としたが、４箇所に限定されるものではない。また、本実施例とは逆に糸巻ドラム２に凸部を設け、リングギア26に凹部を設けて係合するようにしてもよい。さらに、本実施例における遊星歯車機構には３箇所にプラネット歯車32を配設しているが、プラネット歯車32の数は３箇所に限定されるものではない。
【図面の簡単な説明】
【００２５】
【図１】本発明の実施例を示す電動墨壷の中央縦断面図である。
【図２】本発明の実施例を示す電動墨壷の主要構成部品を示す分解斜視図である。
【図３】本発明の実施例に係る電動墨壷の分解図である。
【図４】本発明の実施例に係る電動墨壷の分解図である。
【符号の説明】
【００２６】
１ 墨糸
２ 糸巻ドラム
３（４，９）墨壷ハウジング
25 モータ
27 凹部（切欠）
26 リングギア
28 モータハウジング
33 プラネット歯車軸
34 凸部（突起）
41 スイッチ
44 可撓性部材